【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
シングルエンド入力から差動電流出力を供給する低電圧増幅器において、第１のトランジスタと第２のトランジスタが、それぞれベース接地とエミッタ接地の構成であって、前記シングルエンド入力からの信号を受信するための接続を成し、
前記各トランジスタのベースエミッタ接続をフォワードバイアスするフォワードバイアス手段を有し、
前記第１のトランジスタと前記第２のトランジスタのコレクタ電極から前記差動電流出力が取り出されることを特徴とする低電圧増幅器。
【請求項２】
シングルエンド入力から差動電流出力を供給する低電圧増幅器おいて、
第１のトランジスタがベース接地構成であり、インピーダンスを介して前記シングルエンド入力からの信号を受信するための接続を成し、
第２のトランジスタがエミッタ接地構成であり、キャパシタを介して前記シングルエンド入力からの信号を受信するための接続を成し、
前記各トランジスタのベースエミッタ接続をフォワードバイアスするフォワードバイアス手段を有し、
前記第１のトランジスタおよび前記第２のトランジスタのコレクタ電極から前記差動電流出力が取り出されることを特徴とする低電圧増幅器。
【請求項３】
前記第１のトランジスタおよび前記第２のトランジスタのエミッタ電極が、前記各トランジスタの共通電源ラインの電圧とほぼ同じ電圧で作動する手段を、さらに有する前記請求項１または２記載の低電圧増幅器。
【請求項４】
前記第１のトランジスタおよび前記第２のトランジスタのベースエミッタ接続をフォワードバイアスするフォワードバイアス手段は、電流ミラー構成に接続される第３のトランジスタにより構成される請求項１から３のいずれか１項に記載の低電圧増幅器。
【請求項５】
増幅段に共通に印加されるシングルエンド入力の信号に応ずる少なくとも２つの増幅段での構成を一つ以上有して、差動電流出力信号を選択的に供給する増幅器であって、
それぞれの増幅段で、
第１のトランジスタがベース接地構成であり、前記シングルエンド入力からの信号を受信するための接続を成し、
第２のトランジスタがエミッタ接地構成であり、前記シングルエンド入力からの信号を受信するための接続を成し、
前記シングルエンド入力に第１のインダクタを介して接続する、少なくとも２つの前記第１のトランジスタのエミッタ電極と、
負極電源供給ラインに第２のインダクタを介して接続する、少なくとも２つの前記第２のトランジスタのベース電極と、
を具備し、
前記第１及び第２のトランジスタのコレクタ電極から差動出力が取り出されることを特徴とする低電圧増幅器。
【請求項６】
前記低電圧増幅器が、さらに、それぞれの増幅段に関連するバイアス手段を有し、
いずれかの増幅段の前記第１のトランジスタおよび前記第２のトランジスタのベースエミッタ接続のフォワードバイアスであって、いずれかの前記バイアス手段を選択する請求項５記載の低電圧増幅器。
【請求項７】
低電圧増幅器に付帯するミキサ回路構成を有する請求項１から６のいずれか１項に記載の低電圧増幅器。
【請求項８】
前記ミキサ回路構成を有する無線電話機に組み込まれる請求項７記載の低電圧増幅器。
【手続補正２】
【補正対象書類名】明細書
【補正対象項目名】０００３
【補正方法】変更
【補正の内容】
【０００３】
通常、電流効果を得るために供給電圧を低くすることにより、供給ライン間に設けられる多数の能動素子を必要とするギルバートセルのような標準ＩＣ回路ミキサ構造で大容量の信号を制御するように形成することは難しい。これらの能動素子は、例えば、ミキサセルのトランジスタを動作するために必要な平衡形差動電流出力信号を供給するために、受信した不平衡形のシングルエンド無線周波数信号を増幅そして位相反転する手段を有する入力増幅器のトランジスタ等を含んでいる。


【手続補正３】
【補正対象書類名】明細書
【補正対象項目名】０００４
【補正方法】変更
【補正の内容】
【０００４】
また、シングルエンド入力信号を受信し、それぞれのコレクタ電極に差動電流出力信号を供給するためのベース接地トランジスタおよびエミッタ接地トランジスタにより構成されるトランスコンダクタンス増幅器がＥＰ−Ａ−０５８４８７０に開示されている。


【手続補正４】
【補正対象書類名】明細書
【補正対象項目名】０００７
【補正方法】変更
【補正の内容】
【０００７】
【課題を解決するための手段】
本発明の第１の実施形態によれば、シングルエンド入力から差動電流出力を供給する低電圧増幅器において、前記シングルエンド入力からの信号を受信するためにベース接地接続の第１のトランジスタおよびエミッタ接地接続される第２のトランジスタと、前記各トランジスタのベースエミッタ接続をフォワードバイアスするフォワードバイアス手段とを有し、前記第１のトランジスタおよび前記第２のトランジスタのそれぞれのコレクタ電極から前記差動電流出力信号が取り出されるものである。


【手続補正５】
【補正対象書類名】明細書
【補正対象項目名】０００８
【補正方法】変更
【補正の内容】
【０００８】
本発明の第２の実施形態によれば、シングルエンド入力から差動電流出力を供給する低電圧増幅器において、前記シングルエンド入力からの信号を受信するためにベース接地の第１のトランジスタとインピーダンスを介して接続し、前記シングルエンド入力からの信号を受信するためにエミッタ接地の第２のトランジスタとキャパシタを介して接続し、前記各トランジスタのベースエミッタ接続をフォワードバイアスするフォワードバイアス手段とを有し、前記第１のトランジスタおよび前記第２のトランジスタのそれぞれのコレクタ電極から前記差動電流出力信号が取り出されるものである。


【手続補正６】
【補正対象書類名】明細書
【補正対象項目名】０００９
【補正方法】変更
【補正の内容】
【０００９】
キャパシタは、エミッタ接地接続されるトランジスタのベース電圧と独立してベース接地接続されるトランジスタのベース電圧を与えるように直流遮断として動作する。これは、上記増幅器において、より多くの電圧を許容し、従来のベース接地あるいはエミッタ接地されるトランジスタの増幅器のゲインを越え、改良された線型を提供するものである。


【手続補正７】
【補正対象書類名】明細書
【補正対象項目名】００１１
【補正方法】変更
【補正の内容】
【００１１】
本発明の第３の実施形態によれば、増幅段に共通に印加されるシングルエンド入力の信号に応じて、少なくとも２つの増幅段の構成を一つ以上有して、その増幅段から差動電流出力信号を選択的に供給する低電圧増幅器において、前記各増幅段は、前記シングルエンド入力からの信号受信を、インピーダンスを介してベース接地の第１のトランジスタに接続を成し、またその信号受信を、キャパシタを介してエミッタ接地の第２のトランジスタに接続を成し、共通の第１のインダクタにより前記シングルエンド入力に接続される少なくとも２つ以上の前記第１のトランジスタのエミッタ電極と、さらに、共通の第２のインダクタにより負極電圧供給ラインに接続される少なくとも２つ以上の前記第２のトランジスタのベース電極とを有し、前記増幅段の前記第１のトランジスタおよび、前記第２のトランジスタのそれぞれのコレクタ電極から増幅段における差動電流出力信号が取り出されるものである。


【手続補正８】
【補正対象書類名】明細書
【補正対象項目名】００１６
【補正方法】変更
【補正の内容】
【００１６】
第１のトランジスタ１および第２のトランジスタ２における直流バイアスは、第１のトランジスタ１、第２のトランジスタ２、第３のトランジスタ３のそれぞれのベース電極に設けられた第１のバイアス抵抗１７、第２のバイアス抵抗１８および第３のバイアス抵抗１９を介して、第３のトランジスタ３のコレクタ電極に接続されて形成される電流ミラー構造からなるバイアス手段により供給される。これらのバイアス抵抗値は、第１のトランジスタおよび第２のトランジスタを介する電流量の要求値を設定するために選択され、特定の電流ゲインを調節する。また、第２のバイアス抵抗１８は、第１のキャパシタ１３が第２のトランジスタ２のベース電極においてバイアスするための直流遮断を提供する一方、第２のトランジスタ２のベース電極において、無線周波数信号からバイアスの抵抗にて無線周波数を分離する方法も提供する。第１のトランジスタ１のエミッタ電流のライン９への直流電流帰還路は、インダクタまたは入力端子８とライン９との間のｒｆチョーク（高周波チョーク）２０を介して供給され、このｒｆチョーク２０のリアクタンスは、通常、入力端子８に供給されるネットワーク適合の設計に起因するものである。


【手続補正９】
【補正対象書類名】明細書
【補正対象項目名】００１７
【補正方法】変更
【補正の内容】
【００１７】
無線周波数信号において、第２のトランジスタ２がエミッタ接地接続される一方、第１のトランジスタ１がベース接地接続される。従って、入力端子８における無線周波数信号に応じて、差動電流出力信号が、トランジスタ４、５、６、７からなるミキサ段を駆動するため、第１のトランジスタ１および第２のトランジスタ２のコレクタ電極から供給される。これらの差動電流出力信号は、動作中に、端子２１および端子２２において印加される局部発振信号と混合され、ミキサトランジスタ４、５、６、７の交差接続されるコレクタ電極からの中間周波数出力信号が、負荷インダクタ２３、２４により構成される負荷回路と、抵抗２５およびキャパシタ２６により構成されるフィルタ回路とに印加される。中間周波数出力信号における差動電流出力信号は、第１の出力端子２７および第２の出力端子２８から取り出される。


【手続補正１０】
【補正対象書類名】明細書
【補正対象項目名】００１８
【補正方法】変更
【補正の内容】
【００１８】
第１のインダクタ１２および第２のインダクタ１５は、誘導負帰還の尺度を提供するが、これは増幅器の動作において必要なものではない。第１のインダクタ１２、第２のインダクタ１５およびチョーク２０をバイアスする目的は、直流短絡回路の構成に近づけようとするものである。バイアス手段である第３のトランジスタ３、電流源１６、キャパシタ１４、インダクタ１５、インダクタ１２が、ライン９の電位とほぼ同じくするように、第１のトランジスタ１および第２のトランジスタ２のエミッタ電位を設定することができる。従って、バイアス手段は、その他の回路構成にて使用可能な供給電圧の割合を最大限にすることができる、すなわち、ミキサ段および負荷回路において、最大電圧振幅が起こり得るものである。


【手続補正１１】
【補正対象書類名】明細書
【補正対象項目名】００２１
【補正方法】変更
【補正の内容】
【００２１】
図２において、第１の増幅段は、図１に示される増幅器により構成され、同一要素に関しては同一符号を用いるものである。第１の増幅段は、図１に示されるように、トランジスタ４〜７により形成されるミキサコアに接続されている。第２の増幅段は、バイアス抵抗３４、３３、３５のそれぞれによりバイアスされる第４のトランジスタ３０、第５のトランジスタ３１、第６のトランジスタ３２により形成される。第４のトランジスタ３０のベース電極は、第３のキャパシタ３６を介して負極供給ライン９に接続され、第５のトランジスタ３１のベース電極は、第４のキャパシタ３７を介して入力端子８に接続されている。第４のトランジスタ３０のエミッタ電極は、第１のトランジスタ１と共有するように第１のインダクタ１２を介して入力端子８に接続される。第５のトランジスタ３１のエミッタ電極は、同様に第２のトランジスタ２と共有するように第２のインダクタ１５を介して負極供給ライン９に接続される。


【手続補正１２】
【補正対象書類名】明細書
【補正対象項目名】００２２
【補正方法】変更
【補正の内容】
【００２２】
第４のトランジスタ３０および第５のトランジスタ３１のコレクタ電極は、トランジスタ３８〜４１により形成される第２のミキサコアへのそれぞれの差動電流入力信号により形成される。第２のミキサコアは、局部発振信号入力端子４２、４３の局部発振信号を受信する。負荷インダクタ４４、４５により形成される負荷回路と、キャパシタ４６および抵抗４７により形成されるフィルタとは、第２のミキサコアの出力と正極供給ライン１１との間に接続され、第３の出力端子４８および第４の出力端子４９は、構成要素である負荷インダクタンス２３、２４、抵抗２５、キャパシタ２６、第１の出力端子２７、第２の出力端子２８により形成される第１のミキサコアの負荷回路およびフィルタ回路と同様に供給される。


【手続補正１３】
【補正対象書類名】明細書
【補正対象項目名】００２４
【補正方法】変更
【補正の内容】
【００２４】
図２に示される低電圧増幅器は、変動周波数局部発振器として使用される際、高価な上、非実用的で、しかも好ましいものではないと考えられている。図２の低電圧増幅器は、単一のＩＣ回路により形成される回路を用いてシングル入力ＲＦ信号と混合されるため、２つの異なる固定周波数局部発振信号を許容することができる。第１の増幅段と第２の増幅段を同時に選択する場合でも、端子２７、２８および端子４８、４９に同時に出力信号を供給することができる。このような出力信号は、同じ入力信号から取り出せるが、それぞれの局部発振入力端子２１、２２および４２、４３に印加される局部発振信号に依存するものである。


【手続補正１４】
【補正対象書類名】明細書
【補正対象項目名】００２５
【補正方法】変更
【補正の内容】
【００２５】
任意の時に第１の増幅段および第２の増幅段の内のいずれか１つが選択されたとしても、この回路構成はトランジスタ４およびトランジスタ３８のコレクタ電極の対等な関係と、また、トランジスタ７およびトランジスタ４１の対等な関係から、いずれかが選択され、１つのミキサコアからの中間周波数出力信号を供給する必要のある単一の負荷回路および単一のフィルタ回路を利用する。